(57)【要約】      （修正有）【課題】表面が平滑でかつ透明な氷と透明部材との複合体の製造装置を提供する。【解決手段】氷と透明部材との複合体製造装置２は、透明部材を含んでその上面が開口された製氷容器４と、この製氷容器４の下方に配置された冷却器６と、この製氷容器４の上方に配置された加熱器８とを備えている。この製造装置２では、加熱器８が製氷容器４に供給される製氷用水の水面を加熱するとともに、冷却器６がこの製氷用水を下側から冷却する。この製造装置２で製造された氷と透明部材との複合体は、氷接触面観察に供される。【選択図】図１
2015137833.tif 000002
【特許請求の範囲】
【請求項１】
透明部材を含んでその上面が開口された製氷容器と、この製氷容器の下方に配置された冷却器と、この製氷容器の上方に配置された加熱器とを備えており、
上記加熱器が上記製氷容器に供給される製氷用水の水面を加熱するとともに、上記冷却器がこの製氷用水を下側から冷却する、氷と透明部材との複合体製造装置。
【請求項２】
透明部材を含んでその上面が開口された製氷容器に、製氷用水が供給される工程と、
上記製氷用水の水面が加熱器により加熱されるとともに、この製氷用水が冷却器により下側から冷却される工程とを有している氷と透明部材との複合体製造方法。
【請求項３】
上記製氷容器に供給された製氷用水の水面が凍結する前に、さらにこの製氷容器に製氷用水が供給される工程を、１回以上含む請求項２に記載の製造方法。
【請求項４】
上記製氷用水から、溶存気体が除去される工程をさらに含む請求項２又は３に記載の製造方法。
【請求項５】
透明部材を含んでその上面が開口された製氷容器と、この製氷容器の下方に配置された冷却器と、この製氷容器の上方に配置された加熱器とを備えており、上記加熱器が上記製氷容器に供給される製氷用水の水面を加熱するとともに、上記冷却器がこの製氷用水を下側から冷却する製造装置を用いて、氷と透明部材との複合体を製造する工程と、
上記複合体に含まれる氷の表面に、観察対象物を接触させる工程と、
上記観察対象物の氷との接触面を、上記複合体を構成する透明部材及び氷を通して観察する工程とを含む氷接触面観察方法。
【発明の詳細な説明】
【技術分野】
【０００１】
本発明は、氷と透明部材との複合体製造装置に関する。
【背景技術】
【０００２】
冬期、車両は凍結路面を走行する。安全性向上のため、凍結路面におけるタイヤの走行性能のさらなる改善が求められている。凍結路面走行時、タイヤは、氷と接触する。氷と接触したときの、タイヤの表面形状が、車両走行性能に寄与する。
【０００３】
特開２００７−２３０３２８号公報には、回転式ドラムを備えた試験装置を用いることにより、表面に氷層が形成された透明板を通して、タイヤ接地面を撮影する方法が開示されている。この方法により、タイヤの表面形状を精度良く観察するためには、透明性が高く、かつ表面が平滑な氷層を、透明板上に形成する必要がある。透明性の低い氷層が形成された透明板を通して撮影された画像は、不鮮明である。また、透明板との固定が弱い氷層にタイヤが押しつけられた場合、氷層の剥離や破損の原因となる。
【０００４】
通常、既知の方法で製造される氷の多くは、中央部が白濁している。白濁の原因の一つは、原料の水に含まれる溶存気体が、凍結時に微細な気泡となって残存することにある。気泡の混入を防いで透明な氷を製造する装置及び方法が、特開平６−１０１９４３号公報、特開２０００−３０４３９３号公報、特開平６−１２３５３３号公報、特開２００４−５３０３６号公報及び特開平４−２６０７６８号公報に開示されている。
【先行技術文献】
【特許文献】
【０００５】
【特許文献１】特開２００７−２３０３２８号公報
【特許文献２】特開平６−１０１９４３号公報
【特許文献３】特開２０００−３０４３９３号公報
【特許文献４】特開平６−１２３５３３号公報
【特許文献５】特開２００４−５３０３６号公報
【特許文献６】特開平４−２６０７６８号公報
【発明の概要】
【発明が解決しようとする課題】
【０００６】
特開平６−１０１９４３号公報、特開２０００−３０４３９３号公報及び特開平６−１２３５３３号公報に記載されている大型の製氷装置では、透明板上への氷層の形成が困難である。これらの製氷装置では、表面が平滑な氷は得られない。
【０００７】
特開２００４−５３０３６号公報には、揺動させながら製氷する製氷装置が開示されている。この製氷装置でも、表面が平滑な氷は得られない。氷の表面を平滑にするためには、精密な表面加工を要する。
【０００８】
特開平４−２６０７６８号公報には、複雑な温度制御によって透明な氷を製造する製氷装置が開示されている。
【０００９】
複雑な温度制御や表面加工を要することなく、表面が平滑で透明性の高い氷を、透明部材上に形成するための製造装置は、未だ提案されていない。本発明の目的は、表面が平滑で透明性の高い氷と透明部材との複合体の製造に適した製造装置及び製造方法の提供にある。本発明の他の目的は、氷との接触面を高精度で観察可能な観察方法の提供である。
【課題を解決するための手段】
【００１０】
本発明に係る氷と透明部材との複合体製造装置は、透明部材を含んでその上面が開口された製氷容器と、この製氷容器の下方に配置された冷却器と、この製氷容器の上方に配置された加熱器とを備えている。この製造装置では、加熱器が製氷容器に供給された製氷用水の水面を加熱するとともに、冷却器が製氷用水を下側から冷却する。
【００１１】
本発明に係る氷と透明部材との複合体製造方法は、透明部材を含んでその上面が開口された製氷容器に、製氷用水が供給される工程と、この製氷用水の水面が加熱器により加熱されるとともに、この製氷用水が冷却器により下側から冷却される工程とを有している。
【００１２】
好ましくは、この製造方法は、製氷容器に供給された製氷用水の水面が凍結する前に、さらに製氷用水が供給される工程を、１回以上含む。好ましくは、この製造方法は、製氷用水から、溶存気体が除去される工程をさらに含む。
【００１３】
本発明に係る氷接触面観察方法は、透明部材を含んでその上面が開口された製氷容器と、この製氷容器の下方に配置された冷却器と、この製氷容器の上方に配置された加熱器とを備えており、加熱器が製氷容器に供給される製氷用水の水面を加熱するとともに、冷却器がこの製氷用水を下側から冷却する製造装置を用いて、氷と透明部材との複合体を製造する工程と、この複合体に含まれる氷の表面に、観察対象物を接触させる工程と、この観察対象物の氷との接触面を、複合体を構成する透明部材及び氷を通して観察する工程とを含んでいる。
【発明の効果】
【００１４】
本発明に係る製造装置及び製造方法では、表面が平滑で透明性の高い氷が、製氷容器に含まれる透明部材に接した状態で形成される。この製造装置及び製造方法で得られる氷と透明部材との複合体は、観察対象物と氷との接触面観察に好適に用いられる。
【図面の簡単な説明】
【００１５】
【図１】図１は、本発明の一実施形態に係る製造装置の主要な構成が示された説明図である。
【図２】図２（ａ）は、図１の製氷容器が示された平面図であり、図２（ｂ）は、図１の製氷容器が示された断面図である。
【図３】図３は、図１の製造装置による複合体製造方法の一例が示されたフローチャートである。
【図４】図４は、本発明の一実施形態に係る観察方法の概要が示された説明図である。
【図５】図５は、本発明の他の実施形態に係る製造装置の主要な構成が示された説明図である。
【図６】図６（ａ）は、図５の製氷容器が示された平面図であり、図６（ｂ）は、図５の製氷容器が示された断面図である。
【図７】図７は、本発明の他の実施形態に係る観察方法の概要が示された説明図である。
【図８】図８は、本発明のさらに他の実施形態に係る製造装置の製氷容器が示された断面図である。
【図９】図９（ａ）は実施例の観察画像であり、図９（ｂ）は比較例の観察画像である。
【発明を実施するための形態】
【００１６】
以下、適宜図面が参照されつつ、好ましい実施形態に基づいて本発明が詳細に説明される。
【００１７】
図１の説明図には、本発明の一実施形態に係る氷２８と透明部材３０との複合体製造装置２の主要な構成が模式的に示されている。この製造装置２は、製氷容器４と、冷却器６と、加熱器８と、回転台１０とを備えている。製氷容器４は、断熱材２０で覆われている。断熱材２０の材質として、発泡ポリスチレン、発泡ポリエチレン及びグラスウールが例示される。
【００１８】
この実施形態に係る製造装置２では、回転台１０が、昇降装置１２の上に設置されている。回転台１０は、回転板１４を備えている。製氷容器４は、回転板１４上に設置されている。冷却器６は、回転板１４の下面に接している。加熱器８は、製氷容器４の上方に配置されている。図１には、製氷用水用のタンク１６と、タンク１６から製氷容器４に至る給水管１８も示されている。
【００１９】
図２（ａ）は、図１の製造装置２が備える製氷容器４が示された平面図であり、図２（ｂ）は、この製氷容器４の断面図である。製氷容器４は、底板２２と、側壁２４とを有している。底板２２は、透明である。側壁２４は、透明である。換言すれば、製氷容器４は、透明部材３０である底板２２と、透明部材３０である側壁２４とを含んでいる。この製氷容器４では、底板２２と側壁２４とが一体に形成されている。底板２２と、側壁２４とが、着脱可能に接合されてもよい。
【００２０】
図３は、図１の製造装置２を使用して、氷２８と透明部材３０との複合体２６を製造する方法の一例が示されたフローチャートである。この製造方法では、まず、製氷用水が、給水管１８を通って、タンク１６から製氷容器４に供給される。製氷容器４に供給された製氷用水の水面と、加熱器８とが接触しないように、昇降装置１２の高さが調整される。
【００２１】
次に、回転台１０の作動が開始される。回転台１０の作動により、回転板１４及び回転板１４上に設置された製氷容器４が回転する。回転板１４の回転軸Ｐが、図１に、一点鎖線として示されている。
【００２２】
回転台１０の作動と同時に、又は回転台１０の作動の後で、冷却器６及び加熱器８の作動が開示される。冷却器６は、回転板１４及び底板２２を介して、製氷用水を下側から冷却する。加熱器８は、製氷用水の水面を加熱する。冷却温度と加熱温度との調整により、製氷用水は、底板２２の近傍から凍結し始める。底板２２の近傍で生成された氷２８は、水面に向かって生長する。
【００２３】
水面付近にまで生長した氷２８の厚みが、目的の厚みに達しない場合、新たな製氷用水が、製氷容器４に供給される。製氷容器４中の製氷用水の水面が完全に凍結する前に、新たな製氷用水が供給されることが好ましい。氷２８が所望の厚みに達するまで、新たな製氷用水の供給、冷却及び加熱が繰り返される。
【００２４】
氷２８の厚みが目的の厚みに達した場合、加熱器８の作動が停止される。加熱器８の停止により、製氷用水の水面が凍結する。供給された製氷用水の全量が凍結した後、冷却器６及び回転台１０の作動が停止され、氷２８と、氷２８を含む製氷容器４とが製造装置２から取り出される。氷２８と製氷容器４とは分離されることなく、後述する氷接触面観察方法に供される。この実施形態では、氷２８と、氷２８を含む製氷容器４とが、氷２８と透明部材３０との複合体２６である。
【００２５】
図４には、本発明に係る製造装置２により得られた複合体２６を用いた氷接触面観察方法の概要が示されている。図示される通り、観察対象物３４は、複合体２６の氷２８の表面と接している。複合体２６を挟んで観察対象物３４と反対側に、カメラ３２等の撮影機器が設置されている。この観察方法では、氷２８と観察対象物３４との接触面が、氷２８と、透明部材３０とを通して、観察される。観察が、撮影機器によらず、目視によりおこなわれてもよい。観察精度のさらなる向上のために、氷２８又は透明部材３０に適切な波長の光を照射する方法も取り得る。
【００２６】
本発明に係る製造装置２では、製氷容器４の底板２２付近から開始された製氷用水の凍結過程が上部に向かって進行する間も、凍結しない水面が維持される。凍結過程で発生した気泡は、凍結しない水面から、容易に脱離し得る。この製氷用水から得られる氷２８に含まれる気泡は少ない。この氷２８は、透明である。さらに、凍結しない水面は、平坦である。平坦な水面が凍結することにより、表面が平滑な氷２８が得られる。本発明に係る製造装置２によれば、表面が平滑で、透明性の高い氷２８と透明部材３０との複合体２６を、容易に得ることができる。この複合体２６は、氷接触面観察に供されるに十分な強度を有している。表面が平滑で透明な氷２８と、透明部材３０とを通して得られる氷接触面の画像は、明瞭である。
【００２７】
本願明細書において、氷２８の平滑性は、主として目視により評価される。本発明に係る氷接触面観察法において、光の干渉、屈折等のない鮮明な観察像が得られる程度に平滑な表面を有する氷２８が好ましい。レーザー光散乱等の公知の方法により評価することも可能である。
【００２８】
本願明細書において、氷２８の透明性は、「ＪＩＳ  Ｒ３１０６」の規格に準拠して測定される波長３００ｎｍ以上２５００ｎｍ以下の光の透過率により評価される。氷接触面の観察を阻害しないとの観点から、透過率８０％以上の氷２８が好ましく、９０％以上の氷２８がより好ましい。
【００２９】
好ましい氷２８の厚みは、２ｍｍ以上１０ｍｍ以下である。厚みが２ｍｍ以上の氷２８は、観察対象物３４との接触時に破損しにくい。この観点から、より好ましい厚みは３ｍｍ以上であり、さらに好ましい厚みは４ｍｍ以上である。厚みが１０ｍｍ以下の氷２８を備えた複合体２６では、氷接触面を明瞭に観察しうる。この観点からより好ましい厚みは９ｍｍ以下であり、さらに好ましい厚みは８ｍｍ以下である。氷２８の厚みは、主として、製氷容器４に供給される製氷用水の深さを変えることで調整される。
【００３０】
透明部材３０として好適な材質は、ガラスである。透明度が高く、硬質で傷つきにくい点から、硼珪酸ガラスが好ましい。透明部材３０の材質が、合成樹脂でも良い。（メタ）アクリル樹脂、、ポリカーボネート、ポリエチレン、ポリプロピレン、ポリエチレンテレフタレート等が例示される。透明性及び強度の観点から好ましい樹脂は、アクリル樹脂及びポリカーボネートである。本願明細書において、透明部材３０の透明性は、「ＪＩＳ  Ｒ３１０６」の規格に準拠して測定される、波長３００ｎｍ以上２５００ｎｍ以下の光の透過率により評価される。透過率７０％以上の透明部材３０が好ましく、透過率８０％以上の透明部材３０がより好ましい。
【００３１】
氷接触面観察方法において明瞭な観察が可能であるとの観点から、氷２８と透明部材３０との複合体２６の透過率は、８０％以上が好ましく、９０％以上がより好ましい。
【００３２】
図１の製造装置２で製造される複合体２６において、氷接触面の観察に用いられる透明部材３０は、製氷容器４の底板２２である。この複合体２６では、底板２２の大きさが、氷接触面観察における観察視野の大きさに寄与する。氷接触面の観察に十分な大きさの視野が得られる限り、底板２２の形状は任意に選択されうる。
【００３３】
図２（ｂ）に示された両矢印ｔ１は、底板２２の厚みである。透明性及び冷却効率の観点から、厚みｔ１は１０ｍｍ以下が好ましく、９ｍｍ以下がより好ましい。耐久性の観点から、厚みｔ１は５ｍｍ以上が好ましく、６ｍｍ以上がより好ましい。
【００３４】
本発明に係る製造装置２は、生成された氷２８の再融解等を抑制するために、雰囲気温度２０℃以下の条件下で使用される。温度調整容易との観点から、好ましい雰囲気温度は５℃以上である。
【００３５】
好ましくは、製氷容器４に供給される製氷用水の温度は、０℃以上１０℃以下である。製造効率の観点から、より好ましい温度は、２℃以上８℃以下である。
【００３６】
好ましくは、脱気装置により、製氷容器４に供給される前の製氷用水から、溶存気体が除去される。溶存気体の除去により、氷２８への気泡の混入が抑制される。真空減圧方式、超音波方式、加熱沸騰方式、遠心分離方式、中空糸膜方式等公知の脱気装置が使用されうる。
【００３７】
より好ましくは、製氷用水から、気泡発生の核となりうる不純物が除去される。不純物の除去には、蒸留式、膜分離式等通常用いられる方法が用いられる。
【００３８】
この製造装置２では、製氷用水の下側から水面に向かって徐々に氷２８が生長していくことにより、高い透明性が達成される。好ましくは、製氷容器４の底板２２の近傍における製氷用水の温度が−１５℃以上０℃以下になるように、冷却器６の設定温度が調整される。この製氷用水は、下側から徐々に凍結されるため、発生した気泡は氷２８の内部に閉じ込められることなく、上方へ移動できる。この観点からより好ましい温度は、−１０℃以上−５℃以下である。
【００３９】
好ましくは、製氷用水の水面温度が４℃以上１５℃以下となるように、加熱器８の設定温度が調整される。この製氷用水の水面では、氷２８の生成が抑制される。この水面からは、下側から移動してきた気泡が容易に脱離し得る。この観点からより好ましい水面温度は、５℃以上１０℃以下である。
【００４０】
製氷容器４が設置された回転板１４の回転速度は、２ｒｐｍ以上５０ｒｐｍ以下の範囲で適宜選択される。回転板１４の回転により、製氷用水の局所的な加熱又は冷却が回避され、表面が平滑な氷２８が形成される。この観点から好ましい回転速度は、４ｒｐｍ以上２０ｒｐｍ以下である。
【００４１】
（第二の実施形態）
図５には、本発明の他の実施形態に係る製造装置３６が示された説明図である。この製造装置３６は、製氷容器３８と、冷却器４０と、加熱器４２と、回転台４４とを備えている。製氷容器３８は、断熱材２０に覆われている。この製造装置３６の基本的な構成は、製氷容器３８の形状と加熱器４２の位置を除いて、図１に示された製造装置２と同じである。
【００４２】
図６（ａ）は、図５の製造装置３６が備える製氷容器３８の平面図であり、図６（ｂ）は、この製氷容器３８の断面図である。この製氷容器３８は、ドーナツ状の溝５０を有している。
【００４３】
図５に示された製造装置３６が使用される場合、製氷用水が、製氷容器３８の溝５０に供給される。この製造装置３６では、加熱器４２が、製氷容器３８の溝５０の上方に配置される。製氷容器３８は、回転台４４の作動により、回転軸Ｐを中心として回転する。製氷容器３８の回転により、加熱器４２は、製氷用水の水面を順次、均一に加熱する。冷却器４０は、回転板４６と溝５０の底面とを介して、製氷用水を下側から冷却する。冷却及び加熱により、製氷用水は、溝５０の底面近傍から凍結し始め、水面に向かって氷５４が徐々に生長する。この製造装置３６では、製氷容器３８の溝５０に、表面が平滑で透明な氷５４が形成される。この氷５４は、ドーナツ状である。この製造装置３６では、ドーナツ状の氷５４と、この氷５４を含む製氷容器３８とが、氷５４と透明部材５６との複合体５２である。
【００４４】
図７には、図５の製造装置３６により製造された複合体５２を用いた氷接触面観察方法の一例が示されている。図示される通り、この実施形態では、氷５４と、この氷５４を含む製氷容器３８とが、回転台４５上に設置される。氷５４と、氷５４を含む製氷容器３８とは、回転台４５の作動により、回転する。回転台４５の回転軸Ｒが、図７に、一点鎖線として示されている。この実施形態に係る観察方法では、観察対象物５８は、回転状態の氷５４と接している。この観察方法では、観察対象物５８と、回転状態の氷５４との接触面が、氷５４と、溝５０の底面とを通して明瞭に観察されうる。
【００４５】
図７に示される通り、この複合体５２では、溝５０の底面の面積が、氷接触面観察における観察視野の大きさに寄与する。溝５０の底面の面積は、製氷容器３８の内径と溝５０の幅とにより決定される。図６（ａ）に示された両矢印Ｄが、製氷容器３８の内径であり、両矢印ｄが、溝５０の幅である。
【００４６】
大きな観察視野が得られるとの観点から、内径Ｄは１００ｍｍ以上が好ましく、１１０ｍｍ以上がより好ましい。製造容易との観点から、内径Ｄは１８０ｍｍ以下が好ましく、１７０ｍｍ以下がより好ましい。
【００４７】
大きな観察視野が得られるとの観点から、溝５０の幅ｄは４０ｍｍ以上が好ましく、４５ｍｍ以上がより好ましい。製造容易との観点から、幅ｄは７０ｍｍ以下が好ましく、６５ｍｍ以下がより好ましい。
【００４８】
溝５０の底面の厚みは、氷接触面観察における視野の明瞭さに寄与する。図６（ｂ）に示された両矢印ｔ２が、溝５０の底面の厚みである。明瞭な視野が得られるとの観点から、厚みｔ２は１０ｍｍ以下が好ましく、９ｍｍ以下がより好ましい。耐久性の観点から、厚みｔ２は５ｍｍ以上が好ましく、６ｍｍ以上がより好ましい。
【００４９】
（第三の実施形態）
図８には、本発明のさらに他の実施形態に係る製造装置６０が備える製氷容器６２の断面図が示されている。この製氷容器６２は、主材６４と、主材６４に着脱可能に接合された透明な基板６６とを備えている。主材６４は、底板６８及び側壁７０を有している。この製氷容器６２における透明部材７６は、基板６６である。
【００５０】
この製氷容器６２を備えた製造装置６０の基本的な構成及び作用は、図１に示された製造装置２と同じである。この製造装置６０が使用される場合、製氷容器６２に供給された製氷用水は、回転板と、主材６４の底板６８と基板６６とを介して、冷却器により冷却される。この製氷容器６２では、基板６６の近傍から水面に向かって、氷７４が徐々に成長する。この製氷用器によれば、基板６６上に、表面が平滑で透明な氷７４が形成される。
【００５１】
この実施形態に係る製造装置６０により得られる複合体７２は、氷７４と基板６６との複合体７２である。氷７４と基板６６との複合体７２は、主材６４から取り外されて、氷接触面観察に供される。この複合体７２では、氷７４と基板６６とを通して、氷接触面が観察される。観察視野の明瞭性向上の観点から、基板６６の厚みは、８ｍｍ以下が好ましく、６ｍｍ以下がより好ましい。強度の観点から、基板６６の厚みは、２ｍｍ以上が好ましく、３ｍｍ以上がより好ましい。
【００５２】
基板６６の材質として、第一の実施形態の透明部材３０に関して前述した材質が好適に使用される。主材６４の材質及び形状は、特に限定されず、冷却効率及び加熱効率等を考慮して、適宜選択される。第一の実施形態に係る製造装置２が備える製氷容器４が、主材６４として使用されても良い。
【実施例】
【００５３】
以下、実施例によって本発明の効果が明らかにされるが、この実施例の記載に基づいて本発明が限定的に解釈されるべきではない。
【００５４】
［実施例１］
純水製造装置（柴田科学製ＰＰ−１０１）を用いて、不純物が除去された製氷用水を準備した。この製氷用水（水温２℃）５ｍｌを、室温５℃の環境下に設置された図５の製造装置の製氷容器に供給した。製氷用水の供給速度は１０ｍｌ／ｈであった。製氷容器の材質は、硼珪酸ガラス（Ｓｃｈｏｔｔ社の商品名「ＢＫ７」）であり、円板状の底板（直径１６０ｍｍ、厚み８ｍｍ）を有している。
【００５５】
加熱器（設定温度５０℃）、冷却器（設定温度−５℃）及び回転台（回転板の厚さ１ｍｍ、回転速度１０ｒｐｍ）を作動させて、製氷用水の冷却及び加熱を開始した。このとき、製氷容器の底板近傍の製氷用水の温度は、−１０℃であり、水面の温度は、５℃であった。その後、製氷用水の水面が凍結する前に、新たな製氷用水を５ｍｌずつ４回供給して、冷却及び加熱を繰り返すことにより、実施例１の氷と透明部材との複合体を製造した。この複合体が有する氷の厚さは、５ｍｍであった。この氷の透過率は、９０％であった。目視による観察により、この氷の表面には、いかなる凹凸の形成も認められなかった。
【００５６】
［比較例１］
実施例１の製氷容器と形状及び大きさが同じ容器に、製氷用水２５ｍｌを供給し、冷凍庫に静置することにより、比較例１の氷と透明部材との複合体を製造した。この氷の厚みは、約５ｍｍであった。この氷は、部分的に白濁していた。この氷の表面には、目視により、多数の凹凸が認められた。
【００５７】
［氷接触面観察試験］
実施例１及び比較例１の複合体を、図７の氷接触面観察試験に供した。観察対象物は、ゴム片である。ゴム片の外表面には、平行に複数のスリットが刻まれている。それぞれの複合体の氷に接触させたゴム片の外表面を、氷と透明部材とを通してカメラで撮影した。
【００５８】
実施例１の複合体の氷と透明部材とを通して得られた画像が、図９（ａ）として示されている。図９（ａ）において、符号Ｒ１として示されている領域が、ゴム片と氷との接触面であり、符号Ｒ２として示されている領域が、氷と接触していないゴム片である。ゴム片の外表面に刻まれたスリットの一つが、符号Ｓとして示されている。図９（ａ）において、領域Ｒ１と領域Ｒ２との判別は容易である。この画像では、スリットの輪郭が明確である。実施例１の複合体の使用により、氷と接触したゴム片の外表面の形状を、細部まで明瞭に観察することができた。
【００５９】
比較例１の複合体の氷と透明部材とを通して得られた画像が、図９（ｂ）として示されている。図示される通り、この画像から、ゴム片と氷との接触状態の判別は困難であり、氷と接触したゴム片の外表面の形状を明瞭に観察することができなかった。
【００６０】
以上述べた実施例１及び比較例１の評価結果から、本発明の優位性は明らかである。
【産業上の利用可能性】
【００６１】
本発明に係る製造装置により製造される氷と透明部材との複合体は、氷表面における種々の物質の摩擦係数等の測定にも供されうる。
【符号の説明】
【００６２】
２、３６、６０・・・製造装置
４、３８、６２・・・製氷容器
６、４０・・・冷却器
８、４２・・・加熱器
１０、４４、４５・・・回転台
１２、４８・・・昇降装置
１４、４６・・・回転板
１６・・・タンク
１８・・・給水管
２０・・・断熱材
２２、６８・・・底板
２４、７０・・・側壁
２６、５２、７２・・・複合体
２８、５４、７４・・・氷
３０、５６、７６・・・透明部材
３２・・・カメラ
３４、５８・・・観察対象物
５０・・・溝
６４・・・主材
６６・・・基板
【図１】
2015137833.tif 000003
【図２】
2015137833.tif 000004
【図３】
2015137833.tif 000005
【図４】
2015137833.tif 000006
【図５】
2015137833.tif 000007
【図６】
2015137833.tif 000008
【図７】
2015137833.tif 000009
【図８】
2015137833.tif 000010
【図９】
2015137833.tif 000011